(57)【要約】【課題】移動体無線通信網に適用される分散アンテナシステムにおいて、効率の良いＰＭＩ送信制御及びパイロット信号制御を実現する【解決手段】電力測定部２０１は、第１の期間よりも十分に長い第２の期間で、各アンテナからの受信電力を測定する。アンテナ候補判定部２０２は、受信電力が強い所定数個のアンテナを通信アンテナ候補として選択し通信アンテナ候補及びそれに対応する受信電力を無線基地局装置に通知する。チャネル推定部２０３は、無線基地局装置から、通信可能アンテナとそれに付与されるアンテナインデックス情報とを受信し、通信可能アンテナに関して、第１の期間毎にチャネル推定を行う。プリコーディングマトリクス決定部２０４は、チャネル推定に基づいて通信可能アンテナに関するＰＭＩをアンテナインデックス情報を使って無線基地局装置と通信しながら、データ通信を実行するアンテナ毎の位相回転量、電力比率等を制御する。【選択図】図１
2010068496.tif 000002
【特許請求の範囲】
【請求項１】
それぞれ異なるアンテナ識別情報を送信する複数のアンテナを含むアンテナ群を備えた移動通信システムにおける制御方法において、
前記アンテナ群の一部であるサブアンテナ群について、該サブアンテナ群に含まれるアンテナ間の識別を可能とする識別情報を該サブアンテナ群に含まれる各アンテナに対して割り当てる第１のステップと、
該サブアンテナ群に含まれる各アンテナと前記識別情報との対応関係を移動局に通知する第２のステップと、
該移動局は、通知された該対応関係に基づき、該識別情報を用いて、該サブアンテナ群に含まれるアンテナ間の識別を行う第３のステップと、
を含むことを特徴とする制御方法。
【請求項２】
該移動局は、前記サブアンテナ群に含まれる特定のアンテナに関する情報を、該特定のアンテナに対応する前記識別情報と対応づけて送信する第４のステップを更に含む、
ことを特徴とする請求項１に記載の制御方法。
【請求項３】
前記特定のアンテナに関する情報は、該特定のアンテナについてのＰＭＩ情報又はＣＱＩ情報である、
ことを特徴とする請求項２に記載の制御方法。
【請求項４】
それぞれ異なるアンテナ識別情報を送信する複数のアンテナを含むアンテナ群を備えた移動通信システムにおける基地局装置において、
前記アンテナ群の一部であるサブアンテナ群について、該サブアンテナ群に含まれるアンテナ間の識別を可能とする識別情報を該サブアンテナ群に含まれる各アンテナに対して割り当てる第１の手段と、
該サブアンテナ群に含まれる各アンテナと前記識別情報との対応関係を移動局に通知する第２の手段と、
を含むことを特徴とする基地局装置。
【請求項５】
それぞれ異なるアンテナ識別情報を送信する複数のアンテナを含むアンテナ群を備えた移動通信システムにおける移動局装置において、
基地局から通知された、前記アンテナ群の一部であるサブアンテナ群に含まれるアンテナ間の識別を可能とする識別情報と該サブアンテナ群に含まれる各アンテナとの対応関係に基づき、該識別情報を用いて、該サブアンテナ群に含まれるアンテナ間の識別を行う第３の手段を含む、
ことを特徴とする移動局装置。
【請求項６】
前記移動通信システムにおける制御方法は、通信回線によって複数のアンテナが接続される基地局装置が移動局装置との間で、前記複数のアンテナを使って協調的な無線通信を行う無線通信方法において、前記移動局装置が前記アンテナ毎に第１の期間毎にチャネル推定を行い、該チャネル推定に基づいて前記アンテナに関する通信特性の制御情報を前記基地局装置との間で通信しながら前記アンテナ毎の通信特性を制御する方法であり、
前記第１のステップは、
前記移動局装置において、前記第１の期間よりも十分に長い第２の期間で、前記各アンテナからの受信電力を測定する第５のステップと、
前記移動局装置において、前記受信電力が強い所定数個の前記アンテナを通信アンテナ候補として選択し該通信アンテナ候補及びそれに対応する前記受信電力を前記基地局装置に通知する第６のステップと、
前記基地局装置において、前記通知された通信アンテナ候補及びそれに対応する前記受
信電力に基づいて前記移動局装置との間で通信を行い得る通信可能アンテナを決定し、該決定された通信可能アンテナに前記識別情報としてアンテナインデックス情報を付与してそれらの対応関係を前記移動局装置に通知する第７のステップと、
を含み、
前記移動局装置において、前記基地局装置から通知された通信可能アンテナに関して、前記第１の期間毎に前記チャネル推定を行う第８のステップと、
前記移動局装置及び前記基地局装置において、前記チャネル推定に基づいて前記通信可能アンテナに関する通信特性の制御情報を前記アンテナインデックス情報を使って相互に通信しながら、データ通信を実行する前記アンテナ毎の通信特性を制御する第９のステップと、
を更に含む、
ことを特徴とする請求項１に記載の制御方法における通信特性制御方法。
【請求項７】
前記基地局装置及び前記移動局装置は、前記第９のステップにおいて、
前記アンテナを使って通信される信号の位相回転量及び電力比率を含む通信特性情報を前記通信可能アンテナの本数に対応する数だけ指定する通信特性情報組を複数組保持する通信特性情報コードブックをそれぞれ保有し、
前記チャネル推定に基づいて、前記通信特性情報コードブックが保持する前記通信特性情報組のうちの１組を選択し、その識別情報を前記制御情報の一部として通信し、
該識別情報と前記アンテナインデックス情報との対応関係から前記複数のアンテナの中から該当するアンテナ群を特定し、該アンテナ群の通信特性を前記識別情報によって前記コードブックから特定できる前記通信特性情報組に基づいて制御する、
ことを特徴とする請求項６に記載の通信特性制御方法。
【請求項８】
前記通信特性情報は、前記電力比率の値として、前記通信可能アンテナの本数に対応する数の前記アンテナのうち所定のアンテナについて通信を停止することを指示するゼロ値を含む、
ことを特徴とする請求項７に記載の制御方法における通信特性制御方法。
【請求項９】
前記移動局装置及び前記基地局装置は、前記第９のステップにおいて、
前記通信可能アンテナの本数に対応する数の前記アンテナのうち通信を停止するアンテナ分だけ前記通信特性情報コードブックのサイズを削減し、
該サイズが削減された通信特性情報コードブックを識別する識別情報と、通信を行うアンテナを指定するインデックス情報とを、前記制御情報の一部として通信する、
ことを特徴とする請求項７に記載の制御方法における通信特性制御方法。
【請求項１０】
それぞれ異なるアンテナ識別情報を送信する複数のアンテナを含むアンテナ群を備えた移動通信システムにおける制御方法において、
前記アンテナ群からサブアンテナ群を選択し該サブアンテナ群に含まれる通信可能アンテナを使って通信を実行する第１０のステップと、
前記通信可能アンテナからチャネル推定のためのパイロット信号が送信される通信リソースにおいては、該通信可能アンテナ以外のアンテナにおいて前記データ通信を実行せず、前記通信可能アンテナ以外の他アンテナから前記チャネル推定のためのパイロット信号が送信される通信リソースにおいては、該他アンテナ以外のアンテナにおいて前記データ通信を実行する第１１のステップと、
を含むことを特徴とするパイロット制御方法。
【発明の詳細な説明】
【技術分野】
【０００１】
本発明は、無線通信技術に関し、通信特性制御方法、パイロット制御方法、無線基地局装置、及び無線移動局装置に関する。
【背景技術】
【０００２】
図８に示されるように、複数の遠隔アンテナ装置（ＲＡＵ：Ｒｅｍｏｔｅ  Ａｎｔｅｎｎａ  Ｕｎｉｔ）８０２を光ファイバなどの有線回線８０３を通じて、無線基地局装置である制御装置（ＣＵ：Ｃｏｎｔｒｏｌ  Ｕｎｉｔ）８０１に接続し、変復調などのデジタル処理は、ＣＵ８０１にて行うようにしたシステムが知られている。携帯電話等の無線移動局装置８０４は、複数のＲＡＵ８０２から適切なＲＡＵを選択して通信を行う。なお、アンテナが分散配置されているため、このようなシステムを分散アンテナシステムと称することもできる。
【０００３】
このように、分散アンテナシステムは、数キロメートルの範囲で地理的に分離して配置された複数のアンテナの組合せや、位相回転量、電力比率等を集中制御することができ、安定かつ高速な移動体無線網を構築することが可能な技術として注目されている。
【０００４】
分散アンテナシステムにおける適用可能な技術として、送信ダイバーシティ又はＭＩＭＯ（Ｍｕｌｔｉｐｌｅ  Ｉｎｐｕｔ  Ｍｕｌｔｉｐｌｅ  Ｏｕｔｐｕｔ）があり、その際に用いて好適な送信制御の例としてのＰＭＩ（Ｐｒｅｃｏｄｉｎｇ  Ｍａｔｒｉｘ  Ｉｎｄｉｃａｔｏｒ）制御技術と、パイロット信号制御技術等がある。
【０００５】
ＰＭＩ制御では、無線移動局装置８０４が、各ＲＡＵ８０２における送信信号の位相回転量や電力比率を選択し、それらの情報を無線基地局装置であるＣＵ８０１にフィードバックする。ＣＵ８０１は、各無線移動局装置８０４からのフィードバック情報に基づいて、各ＲＡＵ８０２における最適な位相回転量や電力比率を決定して送信処理を実施する。
【０００６】
ＰＭＩ制御の従来技術として、位相回転量や電力比率の値を直接通知するのではなく、無線移動局装置と無線基地局装置とで位相回転量や電力比率の組合せを定義した共通のコードブックを所有し、そのコードブックのインデックス番号（コードブックインデックス）を通知して、制御通信の効率化を図るものがある。
【０００７】
分散アンテナシステムに関連する複数アンテナの実現技術として、Ｗ−ＣＤＭＡ方式の標準化団体３ＧＰＰ（３ｒｄ  Ｇｅｎｅｒａｔｉｏｎ  Ｐａｒｔｎｅｒｓｈｉｐ  Ｐｒｏｊｅｃｔ）にて標準化されたＬＴＥ（Ｌｏｎｇ  Ｔｅｒｍ  Ｅｖｏｌｕｔｉｏｎ）システムが実用化されているが、このＬＴＥシステムでは例えば、２本の送信アンテナが使用される場合には、図９に示されるようなコードブックが使用される。
【０００８】
同図中、「Ｃｏｄｅｂｏｏｋ  ｉｎｄｅｘ」は、コードブックインデックスを示し、「Ｎｕｍｂｅｒ  ｏｆ  Ｌａｙｅｒｓ  υ」は、「１」の場合はアンテナ２本を使って通信される信号数が１種類の場合、「２」の場合はアンテナ２本を使って通信される信号数が２種類の場合を示している。
【０００９】
各コードブック行列９０１〜９０６の各行列要素値は、ある１つのアンテナの送信信号を基準として他のアンテナについて相対的にどのくらいの位相回転量及び電力比率で送信すべきかを示している。従って、ある１つのアンテナに対して送信信号の位相を回転させたい場合には、対応するコードインデックスを送信することとなる。
【００１０】
「Ｎｕｍｂｅｒ  ｏｆ  Ｌａｙｅｒｓ  υ＝１」の各コードブック行列９０１〜９０４は、２行１列の列ベクトルによって構成されるため、１種類の信号が２本のアンテナで送信されることを示している。いわゆる送信ダイバーシティ方式である。そして、各列ベクトル９０１〜９０４の第１行目要素値が第１アンテナに、第２行目要素値が第２アンテナに対応している。相対値であるから、第１行目要素値は必ず「１」とされる。
【００１１】
例えば、コードブック列ベクトル９０１は、第１アンテナから送信される１種類の信号の送信信号に対して、第２アンテナからの送信信号の位相が同位相、電力比率も同比率で送信されることを示している。
【００１２】
また、コードブック列ベクトル９０２は、第１アンテナから送信される１種類の信号の送信信号に対して、第２アンテナからの送信信号の位相が−１８０度（＝「−１」）回転し、電力比率は同比率で送信されることを示している。
【００１３】
更に、コードブック列ベクトル９０３は、第１アンテナから送信される１種類の信号の送信信号に対して、第２アンテナからの送信信号の位相が＋９０度（＝「ｊ」）回転し、電力比率は同比率で送信されることを示している。
【００１４】
そして、コードブック列ベクトル９０４は、第１アンテナから送信される１種類の信号の送信信号に対して、第２アンテナからの送信信号の位相が−９０度（＝「−ｊ」）回転し、電力比率は同比率で送信されることを示している。
【００１５】
一方、「Ｎｕｍｂｅｒ  ｏｆ  Ｌａｙｅｒｓ  υ＝２」の各コードブック行列９０５及び９０６は、２行２列の列ベクトルによって構成されるため、２種類の信号が２本のアンテナで送信されることを示している。いわゆるＭＩＭＯ方式である。そして、各列ベクトル９０５−１、９０５−２、９０６−１、９０６−２の第１行目要素値が第１アンテナに、第２行目要素値が第２アンテナに対応している。相対値であるから、第１行目要素値は必ず「１」とされる。
【００１６】
例えば、コードブック列ベクトル９０５−１は、第１アンテナから送信される第１信号の送信信号に対して、第２アンテナからの第１信号の送信信号の位相が同位相、電力比率も同比率で送信されることを示している。
【００１７】
また、コードブック列ベクトル９０５−２は、第１アンテナから送信される第２信号の送信信号に対して、第２アンテナからの第２信号の送信信号の位相が−１９０度（＝「−１」）回転し、電力比率は同比率で送信されることを示している。
【００１８】
更に、コードブック列ベクトル９０６−１は、第１アンテナから送信される第１信号の送信信号に対して、第２アンテナからの第１信号の送信信号の位相が＋９０度（＝「ｊ」）回転し、電力比率は同比率で送信されることを示している。
【００１９】
そして、コードブック列ベクトル９０６−２は、第１アンテナから送信される第２信号の送信信号に対して、第２アンテナからの第２信号の送信信号の位相が−９０度（＝「−ｊ」）回転し、電力比率は同比率で送信されることを示している。
【００２０】
次に、ＬＴＥシステムにおいて例えば、４本の送信アンテナが使用される場合には、図１０に示されるようなコードブックが使用される。このコードブックの見方は、図９の場合と基本的に同じであるが、図１０では、コードブック行列は、「Ｎｕｍｂｅｒ  ｏｆ  Ｌａｙｅｒｓ  υ＝１」の場合は４行１列（アンテナ数＝４本、信号数＝１）、「Ｎｕｍ
ｂｅｒ  ｏｆ  Ｌａｙｅｒｓ  υ＝２」の場合は４行２列（アンテナ数＝４本、信号数＝２）、「Ｎｕｍｂｅｒ  ｏｆ  Ｌａｙｅｒｓ  υ＝３」の場合は４行３列（アンテナ数＝４本、信号数＝３）、「Ｎｕｍｂｅｒ  ｏｆ  Ｌａｙｅｒｓ  υ＝４」の場合は４行４列（アンテナ数＝４本、信号数＝４）となる。
【００２１】
即ち、４本のアンテナによって４種類までの信号を同時に通信することができる。
図９の場合は、電力比率は全て同比率であったが、図１０の場合は、位相回転量だけでなく電力比率も制御されることがわかる。
【００２２】
図９及び図１０に示されるようなコードブックを無線移動局装置側と無線基地局装置側でそれぞれ保持することにより、ＬＴＥシステムにおいて、２本又は４本の送信アンテナに対する送信信号の位相回転量と電力比率の複雑な組合せの指定を、コードブックインデックスという単純な番号情報の指定で済ませることが可能となる。
【００２３】
分散アンテナシステムにおける他の技術であるパイロット信号の制御技術においては、無線移動局装置が受信信号のチャネル推定を行えるようにするために、無線基地局装置は、全てのサブキャリアに送受信機間で既知なパイロット信号を挿入して送信している。無線移動局装置は、このパイロット信号を受信することにより、受信信号のチャネル推定を行い、各アンテナからの受信信号の位相回転量や電力比率を推定し、それを使って通信を行う。
【００２４】
この場合に、パイロット信号は、無線移動局装置において正確に受信される必要があるため、ＬＴＥ等の従来の複数アンテナシステムでは、無線基地局装置近傍に集中して接続される複数の送信アンテナからの信号送信が混信しないように、１つの送信アンテナからパイロット信号が送信されるタイミングにおいては、他の送信アンテナからは何も信号が送信されないようにして、パイロット信号の受信品質を高める制御が行われていた。
【特許文献１】特開２００６−５１２００１号公報
【特許文献２】特開２００７−５３７６８号公報
【発明の開示】
【発明が解決しようとする課題】
【００２５】
しかし、現状実現されているＬＴＥ等の複数アンテナシステムは、アンテナ本数が２本又は４本と固定であり、図８に示されるように、ＲＡＵ８０２が、無線基地局装置であるＣＵ８０１に対して、遠隔に配置されその本数も多いような場合には、上述したような従来のＰＭＩ制御及びパイロット信号制御では、以下に示す問題点が内在している。
【００２６】
具体的には、前述した従来のコードブックを使用したＰＭＩ制御において、図８のＲＡＵ８０２の数が多くなると、ＰＭＩ制御を実行し得るアンテナ全てに対応したコードブック行列を使うこととなるため、コードブック行列のサイズが大きくなると共に、コードブックインデックス数も劇的に増加してしまう。この結果、携帯電話等の無線移動局装置にコードブックを搭載することが難しくなる。
【００２７】
また、ＰＭＩ制御対象とするアンテナを柔軟に切り替えようとする場合、ＰＭＩ制御対象とするアンテナを指定するための情報を送受信することとなり、アンテナを指定するための情報により無線リソースが消費されてしまう。
【００２８】
更に、前述した従来のパイロット信号制御において、図８のＲＡＵ８０２の数が多くなると、多くのアンテナからパイロット信号を送信する必要が生じ、かつそのような増加したパイロット信号の送信によってＲＡＵ８０２においてデータ送信が停止される期間が増加してしまい、通信の実効効率（スループット）が低下してしまう。
【課題を解決するための手段】
【００２９】
課題は、効率の良い送信制御（例えば、ＰＭＩ制御）とパイロット信号制御を実現することにある。
以下に示す第１の態様は、それぞれ異なるアンテナ識別情報を送信する複数のアンテナを含むアンテナ群を備えた移動通信システムにおける制御方法において、前記アンテナ群の一部であるサブアンテナ群について、該サブアンテナ群に含まれるアンテナ間の識別を可能とする識別情報を該サブアンテナ群に含まれる各アンテナに対して割り当てる第１のステップと、該サブアンテナ群に含まれる各アンテナと前記識別との対応関係を移動局に通知する第２のステップと、該移動局は、通知された該対応関係に基づき、該識別情報を用いて、該サブアンテナ群に含まれるアンテナ間の識別を行う第３のステップを含むことを特徴とする制御方法を用いることとする。
【００３０】
より具体的な第２の態様は、通信回線（１０３）によって複数のアンテナ（１０２）が接続される基地局装置（１０１）が移動局装置（１０４）との間で、複数のアンテナを使って協調的な無線通信（送信ダイバーシティ、ＭＩＭＯ）を行う無線通信方法において、移動局装置がアンテナ毎に第１の期間毎にチャネル推定を行い、そのチャネル推定に基づいてアンテナに関する通信特性の制御情報（ＰＭＩ等）を基地局装置との間で通信しながらアンテナ毎の通信特性を制御する方法、又はそれと等価な機能を実現する基地局装置、移動局装置を前提とする。
【００３１】
第５のステップ（２０１）は、移動局装置において、第１の期間よりも十分に長い第２の期間で、各アンテナからの受信電力を測定する。このとき、第５のステップは例えば、第１の期間よりも十分に長い第２の期間で、各アンテナからのチャネル推定のためのパイロット信号の電力を測定し平均することにより、各アンテナからの受信電力を測定する。
【００３２】
第６のステップ（２０２）は、移動局装置において、受信電力が強い所定数個のアンテナを通信アンテナ候補として選択しその通信アンテナ候補及びそれに対応する受信電力を基地局装置に通知する。
【００３３】
第７のステップ（３０１）は、基地局装置において、通知された通信アンテナ候補及びそれに対応する受信電力に基づいて移動局装置との間で通信を行い得る通信可能アンテナを決定し、その決定された通信可能アンテナにアンテナインデックス情報（２０８）を付与してそれらの対応関係を移動局装置に通知する。
【００３４】
第８のステップ（２０３）は、移動局装置において、基地局装置から通知された通信可能アンテナに関して、第１の期間毎にチャネル推定を行う。
第９のステップ（２０４〜２０６、３０２、３０３）は、移動局装置及び基地局装置において、チャネル推定に基づいて通信可能アンテナに関する通信特性の制御情報をアンテナインデックス情報を使って相互に通信しながら、データ通信を実行するアンテナ毎の通信特性を制御する。この第９のステップにおいては例えば、アンテナを使って通信される信号の位相回転量及び電力比率を含む通信特性情報を通信可能アンテナの本数に対応する数だけ指定する通信特性情報組（コードブック行列）を複数組保持する通信特性情報コードブックをそれぞれ保有し、チャネル推定に基づいて、通信特性情報コードブックが保持する通信特性情報組のうちの１組を選択し、その識別情報（コードブックインデックス）を制御情報の一部として通信し、その識別情報とアンテナインデックス情報との対応関係から複数のアンテナの中からその当するアンテナ群を特定し、そのアンテナ群の通信特性を識別情報によってコードブックから特定できる通信特性情報組に基づいて制御する。また、この第９のステップにおいては例えば、通信可能アンテナの本数に対応する数のアンテナのうち通信を停止するアンテナ分だけ通信特性情報コードブックのサイズを削減し、
そのサイズが削減された通信特性情報コードブックを識別する識別情報と、通信を行うアンテナを指定するインデックス情報とを、制御情報の一部として通信するように構成することができる。通信特性情報は例えば、電力比率の値として、通信可能アンテナの本数に対応する数のアンテナのうち所定のアンテナについて通信を停止することを指示するゼロ値を含むように構成することができる。
【００３５】
より具体的な第３の態様は、通信回線（１０３）によって複数のアンテナ（１０２）が接続される基地局装置（１０１）が移動局装置（１０４）との間で、複数のアンテナを使って協調的な無線通信を行う無線通信方法において、移動局装置がアンテナ毎に第１の期間毎にチャネル推定を行い、そのチャネル推定に基づいてアンテナに関する選択情報を基地局装置との間で通信しながらアンテナ毎の通信の有無を制御する方法、又はそれと等価な機能を実現する基地局装置、移動局装置を前提とする。
【００３６】
第５のステップ（２０１）は、移動局装置において、第１の期間よりも十分に長い第２の期間で、各アンテナからの受信電力を測定する。このとき、第５のステップは例えば、第１の期間よりも十分に長い第２の期間で、各アンテナからのチャネル推定のためのパイロット信号の電力を測定し平均することにより、各アンテナからの受信電力を測定する。
【００３７】
第６のステップ（２０２）は、移動局装置において、受信電力が強い所定数個のアンテナを通信アンテナ候補として選択しその通信アンテナ候補及びそれに対応する受信電力を基地局装置に通知する。
【００３８】
第７のステップ（３０１）は、基地局装置において、通知された通信アンテナ候補及びそれに対応する受信電力に基づいて移動局装置との間で通信を行い得る通信可能アンテナを決定し、その決定された通信可能アンテナにアンテナインデックス情報を付与してそれらの対応関係を移動局装置に通知する。
【００３９】
第８のステップ（２０３）は、移動局装置において、基地局装置から通知された通信可能アンテナに関して、第１の期間毎にチャネル推定を行う。
第９のステップは、移動局装置及び基地局装置において、チャネル推定に基づいて通信可能アンテナのうちデータ通信を実行するアンテナを選択し、その選択情報をアンテナインデックス情報を使って相互に通信しながら、データ通信を実行するアンテナを選択する。
【００４０】
より具体的な第４の態様は、それぞれ異なるアンテナ識別情報を送信する複数のアンテナを含むアンテナ群を備えた移動通信システムにおける制御方法において、第１０のステップとして、アンテナ群からサブアンテナ群を選択しそのサブアンテナ群に含まれる通信可能アンテナを使って通信を実行し、第１１のステップとして、通信可能アンテナからチャネル推定のためのパイロット信号が送信される通信リソースにおいては、その通信可能アンテナ以外のアンテナにおいてデータ通信を実行せず、通信可能アンテナ以外のｔｑあアンテナからチャネル推定のためのパイロット信号が送信される通信リソースにおいては、その他アンテナ以外のアンテナにおいてデータ通信を実行する構成を有する。
【００４１】
より具体的な第５の態様は、それぞれ異なるアンテナ識別情報を送信する複数のアンテナを含むアンテナ群を備えた移動通信システムにおける制御方法において、第１０のステップとして、アンテナ群からサブアンテナ群を選択しそのサブアンテナ群に含まれる通信可能アンテナを使って通信を実行し、第１１のステップとして、データ通信が実行されている通信実行中アンテナからチャネル推定のためのパイロット信号が送信される通信リソースにおいては、そのアンテナ以外のアンテナにおいてデータ通信を実行せず、通信実行中アンテナ以外のアンテナからチャネル推定のためのパイロット信号が送信される通信リ
ソースにおいては、そのアンテナ以外のアンテナにおいてデータ通信を実行する構成を有する。
【発明の効果】
【００４２】
効率の良い送信制御（例えば、ＰＭＩ制御）を行うことができる。
また、効率のよいパイロット信号制御を実現することができる。
また、分散アンテナシステムにおいて、ＰＭＩ制御のためのコードブックサイズを削減することが可能となり、この結果、移動局装置のハードウェア負荷の軽減、移動局装置と基地局装置間のＰＭＩ通信負荷の削減が実現される。
【００４３】
また、通信品質を落とさずに分散アンテナシステム上でＰＭＩのコードブックを大幅に絞った上で、効率的な通信を実現することが可能となる。
また、移動局装置に大きな電力が届くＲＡＵからは、パイロット信号のみが受信できるようにし、移動局装置は品質の良いチャネル推定値を得ることが可能になる。そして、その他のＲＡＵのパイロット位置にはデータを割り当てられるので、周波数利用効率を向上させることが可能となる。
【００４４】
また、ＰＭＩ制御を行わない分散アンテナシステムにおいても、通信に使用するアンテナを最適に選択することが可能となる。
【発明を実施するための最良の形態】
【００４５】
以下、図面を参照しながら、最良の実施形態について詳細に説明する。
第１の実施形態
図１は、実施形態によるシステム構成図である。
【００４６】
図１のシステムは、無線移動局装置１０４と無線通信を行う遠隔配置された複数のアンテナ（複数のＲＡＵ）１０２が、光ファイバなどの有線回線１０３を通じて、無線基地局装置であるＣＵ１０１に接続される構成を有する。ここでは、６個のアンテナを図示しているが、６個以上のアンテナを配置してもよい。例えば、Ｍ個のアンテナ群があるとする。ここでは、１つの無線基地局にＭ個のアンテナ群が全て接続されているが、異なる無線基地局に接続される場合もありえる。
【００４７】
図２は、実施形態における図１の無線移動局装置１０４の構成図、図３は、実施形態における図１のＣＵ１０１の構成図である。
まず、図２に示される無線移動局装置１０４において、電力測定部２０１は、各ＲＡＵ１０２からのパイロット信号２０６の受信電力を測定する。
【００４８】
アンテナ候補判定部２０２は、この測定値を長時間（例えば、数秒〜数十秒単位程度）で平均し、今後受信した方が良いと考えられる、上位Ｎ（Ｎ＜Ｍ）個のサブアンテナ群であるＲＡＵ１０２を決め、それらの電力測定値を、候補基地局電力報告２０７として、無線送信する。その際、ＲＲＣメッセージにて通知することもできる。なお、無線移動局装置は、パイロット信号のパターン情報等のアンテナ識別情報に対応させて測定電力値を報告することで、無線基地局装置側で、アンテナと測定電力値との対応関係を認識することとなる。
【００４９】
ＲＲＣ（無線資源管理）（Ｒａｄｉｏ  Ｒｅｓｏｕｒｃｅ  Ｃｏｎｔｒｏｌ）プロトコルは、Ｗ−ＣＤＭＡ方式において無線回線を制御するレイヤ３プロトコルである。ＬＴＥでは、ハンドオーバー時にＲＲＣ  Ｃｏｎｎｅｃｔｉｏｎ  Ｒｅｃｏｎｆｉｇｕｒａｔｉｏｎ  メッセージが用いられるが、本実施形態でもこれに準拠して、上記選択されたＮ個のＲＡＵ１０２を特定するインデックス（アンテナインデックス）を送信すればよい。な
お、ＲＲＣデータフォーマットの詳細は省略するが、Ｗ−ＣＤＭＡ方式の標準化団体３ＧＰＰ（３ｒｄ  Ｇｅｎｅｒａｔｉｏｎ  Ｐａｒｔｎｅｒｓｈｉｐ  Ｐｒｏｊｅｃｔ）が発行する３ＧＰＰ  ＴＳ（Ｔｅｃｈｎｉｃａｌ  Ｓｐｅｃｉｆｉｃａｔｉｏｎ）の３６．３３１  ６．２．２にて詳細に規定されているオプショナルのフィールドを利用すればよい。
【００５０】
なお、無線移動局装置１０４では、最初はデータ通信を行うＲＡＵ１０２は決定されていないが、上述のＲＲＣ通信は、所定のＲＡＵ１０２を使って行われ、アンテナインデックス２０８の決定後に、選択されたＲＡＵ１０２が使用される。
【００５１】
図３に示されるＣＵ１０１は、アンテナインデックス決定部３０１が、無線移動局装置１０４から送られてくる候補基地局電力報告２０７に基づき、最大Ｎ個のＲＡＵ１０２を選択し、それに識別情報としてのアンテナインデックス２０８を割り当てる（付与する）。ＲＡＵ１０２の選び方としては、上位Ｎ個又はＮ個以内で最大電力が測定されたＲＡＵ１０２からｘｄＢ（ｘは例えば１０）以内の測定電力を有するものなどとされる。この処理は、通常ハンドオーバなどが起こる単位、即ち秒単位かそれよりも長い、頻度の低い処理となる。例えば、上記Ｎが４ならば、アンテナインデックス２０８は２ビットで表現することができる。
【００５２】
このアンテナインデックス２０８の決定後、無線移動局装置１０４から無線基地局装置であるＣＵ１０１への送信制御情報（例えば、ＰＭＩ、ＣＱＩ（後述する）の通知や、ＣＵ１０１から無線移動局装置１０４への下り制御信号の通知）などにおいて、このアンテナインデックス２０８を用いてアンテナの識別を行うことで各種の効率的な制御が可能となる。
【００５３】
上記アンテナインデックス決定部３０１は、上述の選択したＮ個のＲＡＵ１０２のアンテナ識別情報とそれらのＲＡＵ１０２に付与したアンテナインデックス２０８との対応関係を、下り制御チャネルを使って無線移動局装置１０４に通知する。
【００５４】
無線移動局装置１０４は、通知されたアンテナインデックスを用いてアンテナの識別を行うことができ、例えば、Ｎ個のサブアンテナ群の全て又は、選択した一部のアンテナの組をアンテナインデックスにより特定して、特定したアンテナインデックスを無線基地局装置に送信することで、ＰＭＩの制御対象のアンテナを選択されたアンテナインデックスに対応するアンテナに制限することもでき、ＰＭＩコードブックもこの選択されたアンテナの数に対応するコードブックを用いることができる。従って、コードブックで定義すべき内容の簡略化を図ることができる。
【００５５】
もちろん、無線基地局装置側も、ＰＭＩ制御対象（ＰＭＩフィードバック送信対象）のアンテナをＮ個のサブアンテナ群から選択したいくつかのアンテナに制限する場合に、選択したアンテナに対応するアンテナインデックスを無線移動局装置に送信してＰＭＩ制御対象のアンテナを変更・制限することができる。
【００５６】
通常であれば、アンテナ群内でアンテナ間の識別を可能とするアンテナ固有のアンテナ識別情報を送信すべきところ、このようにサブアンテナ群内でアンテナ間の識別を可能とする識別情報（アンテナインデックス）を用いることで、無線移動局装置、無線基地局装置間でアンテナを識別する際に、送信又は受信するアンテナの指定をより少ない情報量で実現することができる。
【００５７】
無線移動局装置１０４は、図２に示される  チャネル推定部２０３が、アンテナインデックス２０８が付与されたＲＡＵ１０２に関するチャネル推定を行う。
続いて、このチャネル推定値に基づき、プリコーディングマトリクス決定部２０４が、上記アンテナインデックス２０８が付与されたＲＡＵ１０２に関して、送信ダイバーシティまたはＭＩＭＯに適した位相回転量、電力比率のコードブック行列を求めてＰＭＩとする。その際、ＰＭＩを求めた対象のアンテナをアンテナインデックスを用いて識別し、好ましくは、ＰＭＩ情報とともに、無線基地局装置に対して送信すること、無線基地局装置は、通知されたアンテナインデックスで指定されたアンテナについてＰＭＩ情報が送信されることを認識できる。なお、ＰＭＩ情報とは別個に、無線移動局装置から無線基地局装置に対して、ＰＭＩ制御のためのフィードバック信号を送信する対象のアンテナを指定するためのアンテナインデックス情報を送信することもできる。
【００５８】
ＰＭＩについては、前述した図９、図１０と同様にして仕様に基づいて定められるコードブックが、無線移動局装置１０４とＣＵ１０１とで共有され、プリコーディングマトリクス決定部２０４がこのコードブックから決定したコードブック行列に対応するコードブックインデックスとして決定されることになる。コードブックは、アンテナインデックスを通知するＮ個のアンテナより少ないＰ個のアンテナ数に対応したコードブックとしてもよく、その場合、コードブックの簡素化が図られる。もちろん、Ｎ個のアンテナのうち、ＰＭＩ制御を行うＰ個のアンテナをどれにするかは柔軟に変更でき、変更後のアンテナの指定は、無線移動局装置、無線基地局装置ともに、アンテナインデックスを用いて、より少ない情報量の情報により実現することができる。
【００５９】
すなわち、図１に示されるような分散アンテナシステムでは、アンテナ間の距離が物理的に離れているため、受信特性が良くなる送信方法としては、Ｍ個全てのＲＡＵ１０２を使うよりも、ある特定のＲＡＵ１０２（Ｎ個又はＰ個）のみを用いる方が有利となる場合が多い。そこで、本実施形態では、上記コードブックとしては、前述の選択されたＭ個又はＰ個のＲＡＵ１０２の数に適したサイズのコードブックが用意される。このとき、ＲＡＵ１０２の数Ｍ又はＰは十分に制限されるため、コードブック行列の行数が少なくなってコードブックのサイズも小さいものでよく、無線移動局装置１０４にも十分に収容可能となる。また、コードブックインデックス自体も範囲が狭くなるため、コードブックインデックスの通信に必要なビット数を削減することが可能となる。
【００６０】
ＣＱＩ決定部２０５は、プリコーディングマトリクス決定部２０４が決定したＰＭＩに基づく位相回転量、電力比が上記アンテナインデックス２０８が付与された各ＲＡＵ１０２に対して適用された場合の合成の品質として、ＣＱＩ（Ｃｈａｎｎｅｌ  Ｑｕａｌｉｔｙ  Ｉｎｄｉｃａｔｏｒ）を算出する。
【００６１】
ＣＱＩとは、通信品質を反映した伝送レートを表すものであり、変調方式、伝送レート、符号化率等の組み合わせでいくつかの伝送レートを表すことができる。
ＣＱＩについても、ＰＭＩと同様に、図４に示されるようなテーブルを無線移動局装置１０４とＣＵ１０１の双方で持つことによって、アンテナインデックスとＣＱＩｉｎｄｅｘとの組によって、アンテナ毎のＣＱＩを特定することができる。すなわち、無線移動局装置は、各アンテナから受信した信号について受信品質を測定し、受信品質に対応するＣＱＩインデックスを特定し、特定したＣＱＩインデックスを無線基地局装置に対して送信する際に、ＣＱＩインデックスを特定したアンテナのアンテナインデックスと、特定したＣＱＩインデックスとの組を無線基地局装置に対して送信する。
【００６２】
従って、Ｍ個のアンテナ群内でアンテナ間の識別を可能とするアンテナ識別情報を用いるよりも、より少ない情報である識別情報（アンテナインデックス）を用いることで、ＣＱＩ報告する際に、アンテナの指定をより少ない情報量で行うことができる。
図２において、ＣＱＩｉｎｄｅｘは上記インデックス番号を表し、ｍｏｄｕｌａｔｉｏｎは変調方式、ｃｏｄｉｎｇ  ｒａｔｅは伝送レート（キロビット／秒）、ｅｆｆｉｃｉｅ
ｎｃｙは符号化率を表す。
【００６３】
以上のようにしてプリコーディングマトリクス決定部２０４で決定されたＰＭＩと、ＣＱＩ決定部２０５で決定されたＣＱＩが、上り制御信号を用いて、無線移動局装置１０４からＣＵ１０１に、ＰＭＩ報告２０９及びＣＱＩ報告２１２として通知される。
【００６４】
上り制御信号の詳細は、３ＧＰＰ  ＴＳ３６．２１３  ７．２．２に規定される。
ＣＵ１０１では、図３に示されるアンテナ間ウェイト決定部３０２が、上記ＰＭＩ報告２０９及びＣＱＩ報告２１２を受信すると、他の無線移動局装置１０４とのネゴシエーション等を行った後に、実際に送信に使用するアンテナインデックス、位相回転量、電力比率等を決定し、これらをアンテナ間ウェイト情報２１１として、下り制御信号を使って無線移動局装置１０４に通知する。
【００６５】
このアンテナ間ウェイト情報２１１は、図２に示される無線移動局装置１０４で受信された後にデータ復調部２０６に設定される。この後、データ復調部２０６は、アンテナ間ウェイト情報２１１に基づいて、各ＲＡＵ１０２のパイロット信号から得たチャネル推定値にウェイトをかけて、合成のチャネル推定値を求め、この合成チャネル推定値を用いてデータ復調処理を実行する。
【００６６】
その後、図３のＣＵ１０１内のデータ送信部３０３から図２の無線移動局装置１０４内のデータ復調部２０６への実際のデータ２１０の送信処理が、決定されたＲＡＵ１０２を使って行われる。
【００６７】
図３のパイロット送信部３０４は、従来技術の項で説明したパイロット信号を生成して送信する。
以上説明した第１の実施形態により、分散アンテナシステムにおいて、ＰＭＩ制御のためのコードブックサイズを削減することが可能となり、この結果、無線移動局装置のハードウェア負荷の軽減、無線移動局装置と無線基地局装置間のＰＭＩ通信負荷の削減が実現される。
【００６８】
第２の実施形態
第２の実施形態について説明する。
第２の実施形態の構成は、図１〜図３に示される第１の実施形態の構成と同じである。
【００６９】
第２の実施形態が第１の実施形態と異なる点は、図２の無線移動局装置１０４内のプリコーディングマトリクス決定部２０４におけるＰＭＩの判定と、図３のＣＵ１０１内のアンテナ間ウェイト決定部３０２にて用いられるプリコーディングマトリクスである。
【００７０】
図１に示されるような分散アンテナシステムにおいては、ＲＡＵ１０２間の距離が、通常の無線基地局装置に配置されている複数アンテナに比べて非常に大きい。従って、従来技術に比べて、各ＲＡＵ１０２の平均電力の差が大きくなる。
【００７１】
アンテナ間の電力差が少ない場合は、これらのアンテナから位相を合わせて同時送信することにより、特性が良くなるが、あるアンテナの電力が支配的だとすると、そのアンテナからのみ送信するのが良い。また、多数あるアンテナの中から、２本のみ選択するのが良い場合も多いと考えられる。
【００７２】
図９及び図１０に示される従来技術におけるＰＭＩのコードブックは、ほぼ同じ位置にあるアンテナを想定しているため、各アンテナから等電力になるように構成されている。これに対して、第２の実施形態では、図５に示されるように、ＲＡＵ１０２間で偏ったコ
ードブックが使用される。
【００７３】
図５において、各列ベクトルの見方は、図９等の場合と同じである。図５では、総ＲＡＵ数４、最大送信ＲＡＵ数２、ＲＡＵ間位相差制御は１８０度単位に設定されている。勿論、その他のパラメータに関しても、最大送信ＲＡＵ数を絞ったコードブックの設計が可能である。
【００７４】
そして、図５において、５０１で示される列ベクトル群では、４本のＲＡＵ１０２のうちただ１本のみが選択されるＰＭＩを示している。また、５０２で示される列ベクトル群では、４本のＲＡＵ１０２のうち２本のみが選択されるＰＭＩを示している。
【００７５】
このように、第２の実施形態では、分散アンテナシステムを前提として、ＰＭＩのコードブックを大幅に絞った上で、通信品質を落とさずに効率的な通信を実現することが可能となる。
【００７６】
第３の実施形態
第３の実施形態について説明する。
第３の実施形態の構成も、図１〜図３に示される第１の実施形態の構成と同じである。
【００７７】
第３の実施形態が第１の実施形態と異なる点は、図２の無線移動局装置１０４内のプリコーディングマトリクス決定部２０４が、ＰＭＩ報告２０９をＣＵ１０１に通知するときに、ＰＭＩ以外に、そのとき使うＲＡＵ数＝Ｍ本分のアンテナインデックス番号を通知する。ＰＭＩとしては、Ｍアンテナ分の情報を送れば良いので、その分情報量を削減できるのが特徴である。
【００７８】
ＲＡＵ１０２を２本使用するのが適切であると判断された場合には、２本のＲＡＵ１０２のアンテナインデックス番号及びＰＭＩが、ＣＵ１０１にフィードバックされる。
アンテナ数Ｍの決め方としては、例えば、以下の規則が適用できる。
【００７９】
（１）最大電力が測定されたＲＡＵ１０２から５ｄＢ以内の測定電力値を有するＲＡＵ１０２がなければ、Ｍ＝１
（２）最大電力が測定されたＲＡＵ１０２から５ｄＢ以内の測定電力値を有するＲＡＵ１０２が１本あり、それ以外に７ｄＢ以内の測定電力値を有するＲＡＵ１０２がなければ、Ｍ＝２
（３）最大電力が測定されたＲＡＵ１０２から５ｄＢ以内の測定電力値を有するＲＡＵ１０２が１本あり、それ以外に７ｄＢ以内の測定電力値を有するＲＡＵ１０２がなければ、Ｍ＝３
【００８０】
また、他ユーザとの公平性の観点から、ＲＡＵ１０２数が２ならそのユーザの通信に対する周波数又は時間リソースの割当ては１／２、ＲＡＵ１０２数が３なら上記周波数又は時間リソースの割当ては１／３にするなどして、無線通信網全体としての通信品質が良くなるように選択するのが望ましい。
【００８１】
このとき、割り当てられなかったＮ−Ｍ個のＲＡＵ１０２は、他ユーザ向けにデータを割り当てても良いし、割り当てなくても良い。より多くのデータを送信できるという観点からは、他ユーザを割り当てた方が良いが、自分に対する干渉が少なくなるという観点からは、割り当てない方が良い。
【００８２】
第４の実施形態
第４の実施形態について説明する。
第４の実施形態の構成も、図１〜図３に示される第１の実施形態の構成と同じである。
【００８３】
第４の実施形態は、パイロット信号の品質を保ちつつ通信の実効効率を向上させる手法に関する。
図３のＣＵ１０１内のデータ送信部３０３は、通信データを送信するときに、アンテナインデックス２０８（図２又は図３参照）が割り当てられているＲＡＵ１０２においてパイロット送信部３０４が割り当てたパイロット信号のリソース位置には、他のＲＡＵ１０２の通信データを割り当てないが、アンテナインデックス２０８が割り当てられていないＲＡＵ１０２においてパイロット送信部３０４が割り当てたパイロット信号のリソース位置には、図６の６０１や６０２として示されるように、他のＲＡＵ１０２の通信データを割り当てることを許す。
【００８４】
或いは、データ送信部３０３は、通信データを送信するときに、アンテナインデックス２０８は割り当てられているが通信データの送信は行っていないＲＡＵ１０２においてパイロット送信部３０４が割り当てたパイロット信号のリソース位置にも、図７の７０１として示されるように、他のＲＡＵ１０２の通信データを割り当てることを許すように制御することもできる。
【００８５】
周波数シフトなどにより隣接ＲＡＵのパイロットは、同じ位置に割り当てないのが前提である。これにより、受信のために無線移動局装置１０４のチャネル推定部２０３が実行するチャネル推定の精度を保ちながら、データの割当て量を増やすことが可能となる。
【００８６】
なお、以上は、図１に示される構成を有する分散アンテナシステムを対象として説明したが、セクター構成された無線基地局装置においても適用可能である。
更に、なんらかの手段で、基地局間通信が可能であり、基地局間で協調スケジューリングが実施され、また各基地局に同じデータが転送されて、それらが同時送信できるシステムであれば、異なる基地局間のアンテナに関しても上記の仕組みが適用可能である。
【００８７】
以上のようにして、第４の実施形態では、無線移動局装置１０４に大きな電力が届くＲＡＵ１０２からは、パイロット信号のみが受信できるようにし、無線移動局装置１０４内のチャネル推定部２０３（図２）は品質の良いチャネル推定値を得ることが可能になる。そして、その他のＲＡＵ１０２のパイロット位置にはデータを割り当てられるので、周波数利用効率を向上させることが可能となる。
【００８８】
また、第３の実施形態のようにＰＭＩ送信と同時にＭ個のＲＡＵ１０２に絞られる場合には、データがパイロットに重ならない範囲をＭ個まで狭めることも可能である。これにより、データをよりたくさん割り当てることができ、周波数利用効率が更に上がる。
【００８９】
上記第４の実施形態に関連して、アンテナインデックスを決める長期的な電力平均とリソース割り当てを決める短期的な電力平均の中間的な平均値を用いて、パイロット信号と重ならないようなデータの割当てが考えられる。
【００９０】
この場合、無線移動局装置１０４はデータを受信するために、どのＲＡＵ１０２のパイロット信号と重ならないようにデータが割り当てられているかを知る必要がある。この場合には、下り制御チャネルに、データが割り当てられていないリソースを示す制御情報が追加される。
【００９１】
この制御チャネルへの情報追加は、中間的な平均値のみでなく、他の方法でデータ割り当てを行う場合にも必要である。
更に、この方法は、分散アンテナシステムにおける上り通信でも使用できる。即ち、無線移動局装置１０４にデータ送信を指示する下り制御信号で、他ユーザのパイロット信号の品質を確保するために、データを送信しない領域を指定する方法である。
【００９２】
また、予め近くのＲＡＵ１０２は、パイロット信号が同じリソースが重ならないように制御するが遠くのＲＡＵ１０２間では重なっても良いという指針で、ＲＡＵ１０２にパイロットを割り当て、パイロット信号領域が小さくなるようにしておき、パイロット信号領域にはデータを割り当てないという方法も採用することができる。
【００９３】
第５の実施形態
第５の実施形態について説明する。
第５の実施形態では、第１の実施形態の場合と同様に、アンテナインデックスを決定する構成を有する。
【００９４】
しかし、無線移動局装置１０４は、ＰＭＩをＣＵ１０１に通知せずに、利用するＲＡＵ１０２のアンテナインデックスのみをＣＵ１０１に通知する。
ＣＵ１０１は、通知されたＲＡＵ１０２から無線移動局装置１０４に向けて、送信処理を実行する。
【００９５】
位相制御は行われないため、無線移動局装置１０４は、それぞれのＲＡＵ１０２のパイロット信号から求めたチャネル推定を単純に足し合わせることにより、合成のチャネル推定値を求め、データ復調を実行する。
【００９６】
また、上り信号の到来方向の推定などから、各ＲＡＵ１０２間の位相を合わせる方法も採用可能である。この場合は、ＣＵ１０１から無線移動局装置１０４に個別パイロットが別途送信され、無線移動局装置１０４は、この個別パイロットを使ってチャネル推定を行い、データ復調する。
【００９７】
このようにして、第５の実施形態に示されるような、ＰＭＩ制御を行わない分散アンテナシステムにおいても、通信に使用するアンテナを最適に選択することが可能となる。
【００９８】
以上の第１〜第５の実施形態に関して、更に以下の付記を開示する。
（付記１）
それぞれ異なるアンテナ識別情報を送信する複数のアンテナを含むアンテナ群を備えた移動通信システムにおける制御方法において、
前記アンテナ群の一部であるサブアンテナ群について、該サブアンテナ群に含まれるアンテナ間の識別を可能とする識別情報を該サブアンテナ群に含まれる各アンテナに対して割り当てる第１のステップと、
該サブアンテナ群に含まれる各アンテナと前記識別情報との対応関係を移動局に通知する第２のステップと、
該移動局は、通知された該対応関係に基づき、該識別情報を用いて、該サブアンテナ群に含まれるアンテナ間の識別を行う第３のステップと、
を含むことを特徴とする制御方法。
（付記２）
該移動局は、前記サブアンテナ群に含まれる特定のアンテナに関する情報を、該特定のアンテナに対応する前記識別情報と対応づけて送信する第４のステップを更に含む、
ことを特徴とする付記１に記載の制御方法。
（付記３）
前記特定のアンテナに関する情報は、該特定のアンテナについてのＰＭＩ情報又はＣＱＩ情報である、
ことを特徴とする付記２に記載の制御方法。
（付記４）
それぞれ異なるアンテナ識別情報を送信する複数のアンテナを含むアンテナ群を備えた移動通信システムにおける基地局装置において、
前記アンテナ群の一部であるサブアンテナ群について、該サブアンテナ群に含まれるアンテナ間の識別を可能とする識別情報を該サブアンテナ群に含まれる各アンテナに対して割り当てる第１の手段と、
該サブアンテナ群に含まれる各アンテナと前記識別情報との対応関係を移動局に通知する第２の手段と、
を含むことを特徴とする基地局装置。
（付記５）
それぞれ異なるアンテナ識別情報を送信する複数のアンテナを含むアンテナ群を備えた移動通信システムにおける移動局装置において、
基地局から通知された、前記アンテナ群の一部であるサブアンテナ群に含まれるアンテナ間の識別を可能とする識別情報と該サブアンテナ群に含まれる各アンテナとの対応関係に基づき、該識別情報を用いて、該サブアンテナ群に含まれるアンテナ間の識別を行う第３の手段を含む、
ことを特徴とする移動局装置。
（付記６）
前記移動通信システムにおける制御方法は、通信回線によって複数のアンテナが接続される基地局装置が移動局装置との間で、前記複数のアンテナを使って協調的な無線通信を行う無線通信方法において、前記移動局装置が前記アンテナ毎に第１の期間毎にチャネル推定を行い、該チャネル推定に基づいて前記アンテナに関する通信特性の制御情報を前記基地局装置との間で通信しながら前記アンテナ毎の通信特性を制御する方法であり、
前記第１のステップは、
前記移動局装置において、前記第１の期間よりも十分に長い第２の期間で、前記各アンテナからの受信電力を測定する第５のステップと、
前記移動局装置において、前記受信電力が強い所定数個の前記アンテナを通信アンテナ候補として選択し該通信アンテナ候補及びそれに対応する前記受信電力を前記基地局装置に通知する第６のステップと、
前記基地局装置において、前記通知された通信アンテナ候補及びそれに対応する前記受信電力に基づいて前記移動局装置との間で通信を行い得る通信可能アンテナを決定し、該決定された通信可能アンテナに前記識別情報としてアンテナインデックス情報を付与してそれらの対応関係を前記移動局装置に通知する第７のステップと、
を含み、
前記移動局装置において、前記基地局装置から通知された通信可能アンテナに関して、前記第１の期間毎に前記チャネル推定を行う第８のステップと、
前記移動局装置及び前記基地局装置において、前記チャネル推定に基づいて前記通信可能アンテナに関する通信特性の制御情報を前記アンテナインデックス情報を使って相互に通信しながら、データ通信を実行する前記アンテナ毎の通信特性を制御する第９のステップと、
を更に含む、
ことを特徴とする付記１に記載の制御方法における通信特性制御方法。
（付記７）
前記基地局装置及び前記移動局装置は、前記第９のステップにおいて、
前記アンテナを使って通信される信号の位相回転量及び電力比率を含む通信特性情報を前記通信可能アンテナの本数に対応する数だけ指定する通信特性情報組を複数組保持する通信特性情報コードブックをそれぞれ保有し、
前記チャネル推定に基づいて、前記通信特性情報コードブックが保持する前記通信特性情報組のうちの１組を選択し、その識別情報を前記制御情報の一部として通信し、
該識別情報と前記アンテナインデックス情報との対応関係から前記複数のアンテナの中
から該当するアンテナ群を特定し、該アンテナ群の通信特性を前記識別情報によって前記コードブックから特定できる前記通信特性情報組に基づいて制御する、
ことを特徴とする付記６に記載の制御方法における通信特性制御方法。
（付記８）
前記通信特性情報は、前記電力比率の値として、前記通信可能アンテナの本数に対応する数の前記アンテナのうち所定のアンテナについて通信を停止することを指示するゼロ値を含む、
ことを特徴とする付記７に記載の制御方法における通信特性制御方法。
（付記９）
前記移動局装置及び前記基地局装置は、前記第９のステップにおいて、
前記通信可能アンテナの本数に対応する数の前記アンテナのうち通信を停止するアンテナ分だけ前記通信特性情報コードブックのサイズを削減し、
該サイズが削減された通信特性情報コードブックを識別する識別情報と、通信を行うアンテナを指定するインデックス情報とを、前記制御情報の一部として通信する、
ことを特徴とする付記７に記載の制御方法における通信特性制御方法。
（付記１０）
前記移動通信システムにおける制御方法は、通信回線によって複数のアンテナが接続される基地局装置が移動局装置との間で、前記複数のアンテナを使って協調的な無線通信を行う無線通信方法において、前記移動局装置が前記アンテナ毎に第１の期間毎にチャネル推定を行い、該チャネル推定に基づいて前記アンテナに関する選択情報を前記基地局装置との間で通信しながら前記アンテナ毎の通信の有無を制御する方法であり、
前記第１のステップは、
前記移動局装置において、前記第１の期間よりも十分に長い第２の期間で、前記各アンテナからの受信電力を測定する第５のステップと、
前記移動局装置において、前記受信電力が強い所定数個の前記アンテナを通信アンテナ候補として選択し該通信アンテナ候補及びそれに対応する前記受信電力を前記基地局装置に通知する第６のステップと、
前記基地局装置において、前記通知された通信アンテナ候補及びそれに対応する前記受信電力に基づいて前記移動局装置との間で通信を行い得る通信可能アンテナを決定し、該決定された通信可能アンテナに前記識別情報としてアンテナインデックス情報を付与してそれらの対応関係を前記移動局装置に通知する第７のステップと、
を含み、
前記移動局装置において、前記基地局装置から通知された通信可能アンテナに関して、前記第１の期間毎に前記チャネル推定を行う第８のステップと、
前記移動局装置及び前記基地局装置において、前記チャネル推定に基づいて前記通信可能アンテナのうちデータ通信を実行するアンテナを選択し、その選択情報を前記アンテナインデックス情報を使って相互に通信しながら、データ通信を実行する前記アンテナを選択する第９のステップと、
を更に含むことを特徴とする付記１に記載の制御方法における通信有無制御方法。
（付記１１）
前記移動局装置は、前記第５のステップにおいて、前記第１の期間よりも十分に長い第２の期間で、前記各アンテナからのチャネル推定のためのパイロット信号の電力を測定し平均することにより、前記各アンテナからの受信電力を測定する、
ことを特徴とする付記６乃至１０の何れか１項に記載の制御方法。
（付記１２）
それぞれ異なるアンテナ識別情報を送信する複数のアンテナを含むアンテナ群を備えた移動通信システムにおける制御方法において、
前記アンテナ群からサブアンテナ群を選択し該サブアンテナ群に含まれる通信可能アンテナを使って通信を実行する第１０のステップと、
前記通信可能アンテナからチャネル推定のためのパイロット信号が送信される通信リソ
ースにおいては、該通信可能アンテナ以外のアンテナにおいて前記データ通信を実行せず、前記通信可能アンテナ以外の他アンテナから前記チャネル推定のためのパイロット信号が送信される通信リソースにおいては、該他アンテナ以外のアンテナにおいて前記データ通信を実行する第１１のステップと、
を含むことを特徴とするパイロット制御方法。
（付記１３）
それぞれ異なるアンテナ識別情報を送信する複数のアンテナを含むアンテナ群を備えた移動通信システムにおける制御方法において、
前記アンテナ群からサブアンテナ群を選択し該サブアンテナ群に含まれる通信可能アンテナを使って通信を実行する第１０のステップと、
前記データ通信が実行されている通信実行中アンテナから前記チャネル推定のためのパイロット信号が送信される通信リソースにおいては、該通信実行中アンテナ以外のアンテナにおいて前記データ通信を実行せず、前記通信実行中アンテナ以外の他アンテナから前記チャネル推定のためのパイロット信号が送信される通信リソースにおいては、該他アンテナ以外のアンテナにおいて前記データ通信を実行する第１１のステップと、
を含むことを特徴とするパイロット制御方法。
（付記１４）
前記基地局装置は、通信回線によって複数のアンテナが接続され、移動局装置との間で、前記複数のアンテナを使って協調的な無線通信を行うと共に、前記移動局装置が前記アンテナ毎に第１の期間毎にチャネル推定を行い、該チャネル推定に基づいて前記アンテナに関する通信特性の制御情報を前記移動局装置との間で通信しながら前記アンテナ毎の通信特性を制御し、
前記第１の手段は、前記移動局装置から通知された通信アンテナ候補及びそれに対応する受信電力に基づいて前記移動局装置との間で通信を行い得る通信可能アンテナを決定し、該決定された通信可能アンテナにアンテナインデックス情報を付与してそれらの対応関係を前記移動局装置に通知するアンテナインデックス決定手段として構成され、
前記移動局装置でのチャネル推定に基づく前記通信可能アンテナに関する通信特性の制御情報を前記アンテナインデックス情報を使って前記移動局装置との間で相互に通信しながら、データ通信を実行する前記アンテナ毎の通信特性を制御する通信特性制御手段を更に含む、
ことを特徴とする付記４に記載の基地局装置。
（付記１５）
前記通信特性制御手段は、
前記アンテナを使って通信される信号の位相回転量及び電力比率を含む通信特性情報を前記通信可能アンテナの本数に対応する数だけ指定する通信特性情報組を複数組保持する通信特性情報コードブックを保有し、
前記移動局装置でのチャネル推定に基づいて、前記通信特性情報コードブックが保持する前記通信特性情報組のうちの１組を選択する識別情報を前記制御情報の一部として受信し、
該識別情報と前記アンテナインデックス情報との対応関係から前記複数のアンテナの中から該当するアンテナ群を特定し、該アンテナ群の通信特性を前記識別情報によって前記コードブックから特定できる前記通信特性情報組に基づいて制御する、
ことを特徴とする付記１４に記載の基地局装置。
（付記１６）
前記通信特性情報は、前記電力比率の値として、前記通信可能アンテナの本数に対応する数の前記アンテナのうち所定のアンテナについて通信を停止することを指示するゼロ値を含む、
ことを特徴とする付記１５に記載の基地局装置。
（付記１７）
前記移動局装置は、通信回線によって複数のアンテナが接続される基地局装置との間で
、前記複数のアンテナを使って協調的な無線通信を行うと共に、前記アンテナ毎に第１の期間毎にチャネル推定を行い、該チャネル推定に基づいて前記アンテナに関する通信特性の制御情報を前記基地局装置との間で通信しながら前記アンテナ毎の通信特性を制御し、
前記第１の期間よりも十分に長い第２の期間で、前記各アンテナからの受信電力を測定する電力測定手段と、
前記受信電力が強い所定数個の前記アンテナを通信アンテナ候補として選択し該通信アンテナ候補及びそれに対応する前記受信電力を前記基地局装置に通知するアンテナ候補判定手段と、
を更に含み、
前記第３の手段は、
前記基地局装置から、通信可能アンテナとそれに付与されるアンテナインデックス情報とを受信し、該通信可能アンテナに関して、前記第１の期間毎に前記チャネル推定を行うチャネル推定手段と、
前記チャネル推定に基づいて前記通信可能アンテナに関する通信特性の制御情報を前記アンテナインデックス情報を使って前記基地局装置と通信しながら、データ通信を実行する前記アンテナ毎の通信特性を制御する通信特性制御手段と、
を含む、
ことを特徴とする付記５に記載の移動局装置。
（付記１８）
前記通信特性制御手段は、
前記アンテナを使って通信される信号の位相回転量及び電力比率を含む通信特性情報を前記通信可能アンテナの本数に対応する数だけ指定する通信特性情報組を複数組保持する通信特性情報コードブックを保有し、
前記チャネル推定に基づいて、前記通信特性情報コードブックが保持する前記通信特性情報組のうちの１組を選択し、その識別情報を前記制御情報の一部として前記基地局装置に送信する、
ことを特徴とする付記１７に記載の移動局装置。
（付記１９）
前記通信特性情報は、前記電力比率の値として、前記通信可能アンテナの本数に対応する数の前記アンテナのうち所定のアンテナについて通信を停止することを指示するゼロ値を含む、
ことを特徴とする付記１８に記載の移動局装置。
（付記２０）
前記通信特性制御手段は、
前記通信可能アンテナの本数に対応する数の前記アンテナのうち通信を停止するアンテナ分だけ前記通信特性情報コードブックのサイズを削減し、
該サイズが削減された通信特性情報コードブックを識別する識別情報と、通信を行うアンテナを指定するインデックス情報とを、前記制御情報の一部として前記基地局装置に送信する、
ことを特徴とする付記１８に記載の移動局装置。
（付記２１）
前記電力測定手段は、前記第１の期間よりも十分に長い第２の期間で、前記各アンテナからのチャネル推定のためのパイロット信号の電力を測定し平均することにより、前記各アンテナからの受信電力を測定する、
ことを特徴とする付記１７乃至２０の何れか１項に記載の移動局装置。
【図面の簡単な説明】
【００９９】
【図１】実施形態による分散アンテナシステムのシステム構成図である。
【図２】実施形態における図１の無線移動局装置１０４の構成図である。
【図３】実施形態における図１のＣＵ１０１の構成図である。
【図４】ＣＱＩテーブルの構成図である。
【図５】第２の実施形態におけるコードブックの構成図である。
【図６】第４の実施形態におけるパイロット信号とデータのリソース割当て処理の説明図（その１）である。
【図７】第４の実施形態におけるパイロット信号とデータのリソース割当て処理の説明図（その２）である。
【図８】分散アンテナシステムの一般的なシステム構成図である。
【図９】従来のＰＭＩのコードブック（その１）の構成図である。
【図１０】従来のＰＭＩのコードブック（その１）の構成図である。
【符号の説明】
【０１００】
１０１、８０１      ＣＵ（制御装置）
１０２、８０２      ＲＡＵ（遠隔アンテナ装置）
１０３、８０３      有線回線
１０４、８０４      無線移動局装置
２０１      電力測定部
２０２      アンテナ候補判定部
２０３      チャネル推定部
２０４      プリコーディングマトリクス決定部
２０５      ＣＱＩ決定部
２０６      パイロット信号
２０７      候補基地局電力報告
２０８      アンテナインデックス
２０９      ＰＭＩ報告
２１０      データ
２１１      アンテナ間ウェイト情報
２１２      ＣＱＩ報告
３０１      アンテナインデックス決定部
３０２      アンテナ間ウェイト決定部
３０３      データ送信部
３０４      パイロット送信部
【図１】
2010068496.tif 000003
【図２】
2010068496.tif 000004
【図３】
2010068496.tif 000005
【図４】
2010068496.tif 000006
【図５】
2010068496.tif 000007
【図８】
2010068496.tif 000008
【図９】
2010068496.tif 000009
【図１０】
2010068496.tif 000010
【図６】
2010068496.tif 000011
【図７】
2010068496.tif 000012